(57)【要約】  セパレータが電極間にそれぞれ配置されながら、複数の電極が積層され、電極の電極タップが互いに接続され、電極アセンブリが電池ケース内に組み込まれた構造に構成された電極アセンブリを有する二次電池であって、ここで、電極タップが電極リードに結合される領域（電極タップ−電極リード結合領域）が、電池ケースの上端部接触領域に位置し、接触領域が電池の厚さ方向に曲げられ、これによって、電極アセンブリが電池ケースの内部空間から分離される二次電池である。
2009532843.tif 000002
【特許請求の範囲】
【請求項１】
セパレータが電極間にそれぞれ配置されながら、複数の電極が積層され、前記電極の電極タップが互いに接続され、電極アセンブリが電池ケース内に組み込まれた構造に構成された前記電極アセンブリを有する二次電池であって、
前記電極タップが電極リードに結合される領域（電極タップ−電極リード結合領域）が、前記電池ケースの上端部接触領域に位置し、前記接触領域が前記電池の厚さ方向に曲げられ、これによって、前記電極アセンブリが前記電池ケースの内部空間から分離される二次電池。
【請求項２】
前記接触領域が、前記電池ケースを構成する上部及び下部ケース部材の上端部が互いに接続する領域である請求項１に記載の二次電池。
【請求項３】
前記結合領域が、前記電池ケースの前記接触領域において密封される熱溶接部と隣接して配置される請求項１に記載の二次電池。
【請求項４】
前記熱溶接部が、前記電極タップ−電極リード結合領域について前記接触領域の上部において、又は前記電極タップ−電極リード結合領域の上部及び横方向において、前記電池ケースのエッジに沿って形成される請求項３に記載の二次電池。
【請求項５】
前記電池ケースから突き出す前記電極リード、及び前記熱溶接部が、前記電池の長さ方向に垂直に再び曲げられる請求項３に記載の二次電池。
【請求項６】
前記電池の保護回路モジュール（ＰＣＭ）が、前記電池の長さ方向において、前記電極リードと接続される請求項５に記載の二次電池。
【請求項７】
前記電池ケースから突き出す前記電極リード、及び前記熱溶接部が、前記電池の厚さ方向に水平に再び曲げられる請求項３に記載の二次電池。
【請求項８】
前記電池の保護回路モジュールが、前記電池の厚さ方向において、前記電極リードと接続される請求項７に記載の二次電池。
【請求項９】
絶縁フィルムが、前記電極タップ及び前記電極リードを囲むように、前記絶縁フィルムが、前記電池ケースの前記上端部接触領域に配置される請求項１に記載の二次電池。
【請求項１０】
前記電極アセンブリが、積層又は積層／折畳み型構造に構成される請求項１に記載の二次電池。
【請求項１１】
前記セパレータが、前記セパレータの端部が前記上端部接触領域と隣接する、又は前記上端部接触領域と部分的に重なるほど十分な長さを有する請求項１に記載の二次電池。
【請求項１２】
前記二次電池が、リチウムイオンポリマー電池である請求項１に記載の二次電池。
【請求項１３】
前記電池ケースが、金属層及び樹脂層を含む積層シートから作られるパウチ形ケースである請求項１に記載の二次電池。
【請求項１４】
前記シートが、アルミニウム積層シートである請求項１３に記載の二次電池。
【発明の詳細な説明】
【技術分野】
【０００１】
本発明は、安全性及び容量が向上したリチウム二次電池に係り、特に、セパレータが電極間にそれぞれ配置されながら、複数の電極が積層され、電極の電極タップが互いに接続され、電極アセンブリが電池ケース内に組み込まれた構造に構成された電極アセンブリを有する二次電池に関し、ここで、電極タップが、電極リードに結合される領域（電極タップ−電極リード結合領域）が、電池ケースの上端部接続領域に位置し、接続領域が電池の厚さ方向に曲げられ、これにより、電極アセンブリが、電池ケースの内部空間から分離される。
【背景技術】
【０００２】
モバイル機器が次第に開発されるにつれ、このようなモバイル機器の要求が高まり、モバイル機器用のエネルギー源としての電池に対する要求もまた急速に高まっている。また、様々なニーズを満足する電池に対する多くの研究が行われている。
【０００３】
電池の形状に関して、携帯電話のような製品に適用可能なほど十分に薄い角形二次電池又はパウチ形二次電池の要求が極めて高い。電池の材料に関して、リチウムイオン電池及びリチウムイオンポリマー電池のような、高エネルギー密度、高放電電圧、及び高出力安定性を有するリチウム二次電池の要求が、極めて高い。
【０００４】
さらに、二次電池が、カソード／セパレータ／アノード構造を有する電極アセンブリの構成に基づいて分類されうる。例えば、セパレータがカソードとアノードとの間にそれぞれ配置されながら、長いシート型カソード及びアノードが巻き付けられたジェリーロール（ワインディング）型構造、セパレータがカソードとアノードとの間にそれぞれ配置されながら、所定の大きさを有する複数のカソード及びアノードが互いに連続的に積層された積層型構造、又は、バイセル若しくはフルセルを構成するためにセパレータがカソードとアノードとの間にそれぞれ配置されながら、所定の大きさを有する複数のカソード及びアノードが互いに連続的に積層され、次にバイセル若しくはフルセルが巻き付けられた積層／折畳み型構造に、電極アセンブリが、構成されうる。
【０００５】
最近、低製造コスト、軽量、及び形状の変更の容易さのため、アルミニウム積層シートから形成されるパウチ形電池ケース内に、このような積層又は積層／折畳み型電極アセンブリが組み込まれた構造に構成されたパウチ形電池に、多くの関心が集まっている。結果として、パウチ形電池の使用が、次第に増加している。
【０００６】
図１は、従来のパウチ形二次電池１０の一般構造を典型的に説明する分解斜視図である。
【０００７】
図１を参照すると、パウチ形二次電池１０は、電極アセンブリ３０、電極アセンブリ３０から伸びる複数の電極タップ４０及び５０、電極タップ４０及び５０にそれぞれ溶接された電極リード６０及び７０、並びに電極アセンブリ３０を受け入れるための電池ケース２０を含む。
【０００８】
電極アセンブリ３０は、セパレータがカソードとアノードとの間にそれぞれ配置されながら、互いに連続的に積層されたカソード及びアノードを含む電力発生素子である。電極アセンブリ３０は、積層構造又は積層／折畳み構造に構成される。電極タップ４０及び５０は、電極アセンブリ３０の対応する電極プレートから伸びる。電極リード６０及び７０は、電極アセンブリ３０の対応する電極プレートから伸びる電極タップ４０及び５０と、例えば溶接によってそれぞれ電気的に接続されている。電極リード６０及び７０は、電池ケース２０の外部に部分的に露出されている。電池ケース２０と電極リード６０及び７０との間のシーラビリティを改善すると同時に、電池ケース２０と電極リード６０及び７０との間の電気的絶縁を確保するために、電極リード６０及び７０の上及び下表面が、絶縁フィルム８０に部分的に取り付けられている。
【０００９】
電池ケース２０は、アルミニウム積層シートから形成される。電池ケース２０は、その中に電極アセンブリ３０を受け入れるために定められた空間を有する。電池ケース２０は、通常、パウチ形状に形成される。電極アセンブリ３０が、図１に示されるような積層型電極アセンブリである場合、複数のカソードタップ４０及び複数のアノードタップ５０が、それぞれ電極リード６０及び７０と結合されることが出来るように、電池ケース２０の内部上端部が、電極アセンブリ３０と間隙を介する。
【００１０】
図２は、図１に示す二次電池の電池ケースの内部上端部を説明する一部分の拡大図であり、ここで、カソードタップが、集められた状態で互いに結合され、カソードリードに接続されており、及び図３は、組み立てられた状態における図１の二次電池を説明する正面透視図である。
【００１１】
これらの図を参照すると、電極アセンブリ３０のカソードコレクター４１から伸びる複数のカソードタップ４０が、例えば、カソードタップ４０を互いに溶接することによって一体的に結合することにより構成された溶接束の形状でカソードリード６０の一端部に接続されている。カソードリード６０の他の端部６１が、電池ケース２０の外部に露出されながら、カソードリード６０が、電池ケース２０によって密封されている。溶接束を構成するために、複数のカソードタップ４０が、互いに一体的に結合されているので、電池ケース２０の内部上端部が、電極アセンブリ３０の上端部表面から所定の距離だけ離隔されており、溶接束の形状に結合されたカソードタップ４０が、おおよそＶ状に曲げられている。従って、電極タップと対応する電極リードとの間の結合領域が、“Ｖ形領域”と呼ばれる場合がある。
【００１２】
しかしながら、このようなＶ形領域は、電池の容量及び安全性の側面において、多くの問題を抱えている。第一に、電池の容量が、電極アセンブリ３０の大きさに依存することである。また一方、このＶ形領域は、電池ケース２０に組み込まれる電極アセンブリ３０の大きさを制限し、結果として、電池の容量が減少する。特に、図３に示すように、電極アセンブリ３０の上端部と絶縁フィルム８０との間の距離Ｌ１が、極めて大きく、そのために、電極アセンブリ３０の大きさが、電極アセンブリ３０の上端部と絶縁フィルム８０との間の距離だけ必然的に減少する。
【００１３】
また、電池が、電池の上端部、すなわち電池のカソードリード６０側から落下する、又は外部の物理的な力が電池の上端部に加えられた場合、電極アセンブリ３０が、電池ケース２０の内部上端部の方に移動する、又は電池ケース２０の上端部が、圧壊される。結果として、電極アセンブリ３０のアノードが、カソードタップ４２又はカソードリード６０と接触し、これにより、電池内部において短絡が発生しうる。その結果、電池の安全性が、極めて低下する。特に、溶接束の下のいくつかのカソードタップと最も外側のアノードとの間の接触のために、このような内部短絡が起こる。
【００１４】
その結果、上記の課題を根本的に解決することが可能な技術に対する大きな必要性が存在する。
【特許文献１】韓国特許公報２００１−００８２０５８
【特許文献２】韓国特許公報２００１−００８２０５９
【特許文献３】韓国特許公報２００１−００８２０６０
【発明の開示】
【発明が解決しようとする課題】
【００１５】
従って、本発明は、上記の課題、及び未だ解決されていない他の技術的課題を解決するためになされたものである。
【課題を解決するための手段】
【００１６】
上記のような課題を解決するための様々な広範囲且つ集中的な研究及び実験の結果として、本発明の発明者は、電極タップ−電極リード結合領域が、電極アセンブリの上端部の上の電池ケースの空間内ではなく、電池ケース内に組み込まれる電極アセンブリを有する二次電池の電池ケースの上端部接触領域に位置し、電池ケースの接触領域が曲げられる場合、振動又は落下のような外部衝撃による本発明に従う二次電池の内部短絡の発生が、効果的に防止され、これによって、本発明に従う二次電池の安全性をさらに改善し、電池ケースの内部空間が、最大限に利用され、これによって、本発明に従う二次電池が、本発明に従う二次電池と同じ大きさを有する従来の二次電池よりも大きな容量を有することを発見した。本発明が、これらの発見に基づいて完成された。
【００１７】
本発明の一側面に従い、上記及び他の目的が、セパレータが電極間にそれぞれ配置されながら、複数の電極が積層され、電極の電極タップが互いに接続され、電極アセンブリが電池ケースに組み込まれた構造に構成された電極アセンブリを有する二次電池の提供により達成されることが出来、ここで、電極タップが電極リードに結合される領域（電極タップ−電極リード結合領域）が電池ケースの上端部接触領域に位置し、接触領域が電池の厚さ方向に曲げられ、これによって、電極アセンブリが電池ケースの内部空間から分離される。
【００１８】
本発明の好ましい実施形態において、接触領域は、電池ケースを構成する上部及び下部ケース部材の上端部が、互いに接触する領域である。特に、接触領域は、電極アセンブリが電池ケース内に組み込まれながら電池ケースが密封されるように、上部及び下部ケース部材が電池ケースのエッジに沿って互いに接触する領域である。接触領域が、電極アセンブリの電極の積層部分について、それに関する上側部エッジ又は下側部エッジから垂直に伸びてよい。明細書において、電極タップが突き出す電極アセンブリの上端部について、電極アセンブリに対応する場所に位置する接触領域が、“上端部接触領域”と呼ばれる。
【００１９】
好ましい実施形態において、電極タップ−電極リード結合領域は、互いに一体的に結合される複数の電極タップが、対応する電極リードに結合された領域である。結合領域が、電池ケースの上端部接触領域において電池ケースを密閉するために熱溶接が実行される熱溶接部と隣接して配置されてよい。特に、結合領域が、上部ケース部材と下部ケース部材との間の電池ケースの上端部接触領域に配置されてよい。例えば、熱溶接が、上端部接触領域の上部にて実行される場合、カソードタップ−カソードリード結合領域及びアノードタップ−アノードリード結合領域が、接触領域の下部において上部ケース部材と下部ケース部材との間の接触界面に位置してよい。この構造のために、結合領域と反対の電極リードの端部が、電池ケースから部分的に露出されながら、電極リードが、上部ケース部材と下部ケース部材との間に位置する。
【００２０】
上記のように、電極タップ−電極リード結合領域について、熱溶接部が、接触領域の上部における電池ケースのエッジに沿って形成されてよい。状況に応じ、熱溶接部が、電極タップ−電極リード結合領域の上部だけでなく、横方向にも形成されてよい。例えば、熱溶接部が、カソードタップ−カソードリード結合領域の外部領域（ａ）、アノードタップ−アノードリード結合領域の外部領域（ｂ）、及び電極タップ−電極リード結合領域の間の中間領域（ｃ）に形成されてよい。あるいは、熱溶接部が、カソードタップ−カソードリード結合領域の外部領域（ａ）且つアノードタップ−アノードリード結合領域の外部領域（ｂ）、又は電極タップ−電極リード結合領域の間の中間領域（ｃ）に形成されてよい。上記のように、熱溶接が、電極タップ−電極リード結合領域を除く大部分の接触領域において実行される場合、電池ケースのシーラビリティが増加し、電池ケースに加えられる外力に対する電池ケースの構造安定性がさらに改善される。
【００２１】
好ましい実施形態に従うと、熱溶接部及び電極リードが、最初に電池の厚さ方向に曲げられた電池ケースの上端部接触領域において、電池の長さ方向に再び垂直に曲げられてよい。特に、接触領域が、電極アセンブリの電極の積層部分について、それに関して下側部エッジから垂直に伸びる構造に、接触領域が構成される場合、電極タップ−電極リード結合領域が、電池の厚さ方向と平行になるように、接触領域が、垂直に曲げられてよく、次に、電極リード及び熱溶接部が、電池の長さ方向と平行になるように、接触領域が、垂直に曲げられて良い。この場合、電極リードが電極の上端部に対し垂直となるように、電極リードが、電極の上端部から突き出し、その結果、電池の保護回路モジュールが、電池の長さ方向において、電極リードと接続されうる。
【００２２】
他の好ましい構造に従うと、熱溶接部及び電極リードが、最初に電池の厚さ方向に曲げられた電池ケースの上端部接触領域において、電池の厚さ方向に再び水平に曲げられてよい。特に、接触領域が、電極アセンブリの電極の積層部分について、それに関して下側部エッジから垂直に伸びる構造に、接触領域が構成される場合、電極タップ−電極リード結合領域が、電池の厚さ方向と平行になるように、接触領域が、垂直に曲げられてよく、次に、電極リード及び熱溶接部が、電池の厚さ方向と平行になるように、接触領域が、水平に曲げられて良い。この場合、電極リードが電極の上端部と平行になるように、電極リードが、電極の上端部から突き出し、その結果、電池の保護回路モジュールが、電池の厚さ方向において、電極リードと接続されうる。
【００２３】
好ましくは、電極タップと電極リードと電池ケースとの間のシーラビリティを改善し、同時に電極タップと電極リードと電池ケースとの間の電気的絶縁を確保するために、絶縁フィルムが、電極タップ、電極リード、及び電極タップと電極リードとの間の結合領域の最上部及び底面部を囲むように、絶縁フィルムが、電池ケースの上端部接触領域に配置される。
【００２４】
本発明に従うと、カソード及びアノードを構成するために複数の電極タップが、互いに接続される構造に、電極アセンブリが、構成される限り、電極アセンブリは、特に制限されない。好ましくは、電極アセンブリが、積層又は積層／折畳み型構造に構成される。積層／折畳み型電極アセンブリの詳細が、本発明の出願人の名前において出願された特許文献１、特許文献２及び特許文献３に開示されている。上記特許公開の開示が、本願明細書において完全に記載されるものとして参照することにより、本願明細書に組み込まれる。
【００２５】
セパレータがカソードとアノードとの間にそれぞれ配置されながら、カソード及びアノードが互いに連続して積層される構造に、電極アセンブリが基本的には構成される。状況に応じ、セパレータの端部が、上端部接触領域と隣接する、又は上端部接触領域と部分的に重なるほど十分な長さを、セパレータが有してよく、これによって、電池の安全性がさらに改善される。
【００２６】
電極タップが、様々な方法において、互いに接続されてよい。好ましくは、電極タップが、溶接によって互いにさらに安定的に接続される。
【００２７】
好ましくは、本発明に従う二次電池は、ゲル状のリチウム含有電解質を含んだ電極アセンブリを有する電池、いわゆるリチウムイオンポリマー電池である。
【００２８】
また、好ましくは、本発明に従う二次電池は、金属層及び樹脂層を含む積層シート、特にアルミニウム積層シートから作られるパウチ形ケースに組み込まれた電極アセンブリを有するパウチ形電池である。
【発明を実施するための最良の形態】
【００２９】
本発明の上記及び他の目的、特徴並びに他の利点が、添付の図面を併用する以下の詳細な記述から、さらに明確に理解されるだろう。
【００３０】
これから、本発明の好ましい実施形態が、添付の図面を参照して詳細に記述される。しかしながら、本発明の範囲が、説明された実施形態によって制限されるものではないことに留意すべきである。
【００３１】
図４は、本発明の好ましい実施形態に従うパウチ形二次電池を説明する分解斜視図であり、及び図５は、電池ケースの上端部及び側面部接触領域が密封された状態である図４のパウチ形二次電池の、電極アセンブリが組み込まれた、電池ケースの上端部及び側面部接触領域を説明する正面透視図である。
【００３２】
これらの図を参照すると、パウチ形二次電池１００は、カソードリード４１０及びアノードリード４２０にそれぞれ溶接されたカソードタップ３１０及びアノードタップを有する電極アセンブリ３００、及び電極アセンブリ３００を受け入れるための電池ケース２００を含む。
【００３３】
電池ケース２００は、電極アセンブリ３００を受け入れるために適した形状に形成された下部ケース部材２２０、及び上部ケース部材２１０がカバーとしての機能を果たすためにその一側において下部ケース部材２２０と一体的に接続される上部ケース部材２１０を含む。電池ケース２００は、電池ケース２００の組み立て時に、上部ケース部材２１０及び下部ケース部材２２０が、互いに密接する部位に接触領域２３０ａ及び２３０ｂをさらに含む。
【００３４】
接触領域２３０ａ及び２３０ｂは、電極アセンブリ３００の上端部（ここから電極タップ３１０及び３２０が突き出す）に対応する上端部接触領域２３０ａ、及び電極アセンブリ３００の両側面に対応する側面部接触領域２３０ｂを含む。また、接触領域２３０ａ及び２３０ｂは、電池ケース２００を密封するために熱溶接作業が実行される熱溶接部２４０を含む。特に、上端部接触領域２３０ａが、部分的に熱溶接され、一方、側面部接触領域２３０ｂが全体的に熱溶接される。
【００３５】
一方、電極アセンブリ３００から突き出す複数のカソードタップ３１０が、溶接によって互いに結合される。同様に、また電極アセンブリ３００から突き出す複数のアノードタップ３２０が、溶接によって互いに結合される。また、カソード及びアノードタップ３１０及び３２０の上端部４１１及び４２１が、溶接によって、電池ケース２００から露出されるカソード及びアノードリード４１０及び４２０に結合される。カソード及びアノードタップ３１０及び３２０の上端部４１１及び４２１とカソード及びアノードリード４１０及び４２０との間の結合領域３４０が、上部ケース部材２１０と下部ケース部材２２０との間の上端部接触領域２３０ａに位置する。結合領域３４０は、熱溶接部２４０と重ならない。
【００３６】
電極タップ３１０及び３２０、電極リード４１０及び４２０、並びに結合領域３４０において、曲げ及び熱溶接の間の電池ケース２００のシーラビリティを維持し及び短絡の発生を防ぐために、電極タップ３１０及び３２０、電極リード４１０及び４２０、並びに結合領域３４０を取り囲む絶縁フィルム４３０が配置される。電池の体積が、熱溶接後に最小化されるために、熱溶接部２４０の両側面が、点線Ａ及びＢに沿って垂直に曲げられる。
【００３７】
図６は、電池ケースの上端部及び側面部接触領域が密封された状態である本発明の他の好ましい実施形態に従うパウチ形二次電池の、電極アセンブリが組み込まれた、電池ケースの上端部及び側面部接触領域を説明する正面透視図である。
【００３８】
図６に示す二次電池１０１は、図４及び５に示す二次電池１００と同一な一般構造であるが、電極タップ３１０及び３２０と電極リード４１０及び４２０との間の結合領域３４０を除いた大部分の上端部接触領域２３０ａにおいて熱溶接が実施されるという点において、二次電池１０１は、二次電池１００と異なる。図５と比較した場合、従って、熱溶接部２４０だけでなく、カソード及びアノード結合領域３４０及び３４１の外部領域ａ及びｂ、並びに結合領域３４０と３４１との間の中間領域ｃにおいても、熱溶接が実行されるという点において、二次電池１０１は、二次電池１００と異なる。状況に応じ、熱溶接が、外部領域ａ且つｂ又は中間領域ｃのみにおいて実行されてもよい。
【００３９】
上部接触領域２３０ａの大部分が、上記のように熱溶接され、これにより、電池ケースのシーラビリティがさらに増加し、外力に対する電池ケースの構造安定性が大きく改善される。
【００４０】
図７は、本発明の好ましい実施形態に従う電池ケースの上端部接触領域を典型的に説明する部分断面図であり、及び図８は、本発明の他の好ましい実施形態に従う電池ケースの上端部接触領域を典型的に説明する部分断面図である。理解を容易にするため、電極アセンブリの上端部と電池ケースとの間の空間領域が、いくぶん誇張されて描かれている。しかしながら、本発明の構造に従って、この空間領域が、極めて小さいまたは提供されない場合があることに留意すべきである。
【００４１】
これらの図を参照すると、電極アセンブリ３００が電池ケース２００に組み込まれると同時に、電池ケース２００を密封し、二次電池１００の厚さ方向ｙに電池ケース２００の上端部接触領域２３０ａを垂直に曲げることにより、二次電池１００が、製造される。以下においてさらに詳細に記述するが、上端部接触領域２３０ａから突き出すカソードリード４１１が、外部（例えば、保護回路モジュール）に電気的に接続されるので、カソードリード４１１を含む上端部接触領域２３０ａの部分が、再び垂直に又は水平に曲げられる。
【００４２】
上端部接触領域２３０ａの曲げ構造について記述する前に、図４及び５に関連して上述した上端部接触領域２３０ａの部分構造をさらに記述する。上端部接触領域２３０ａは、上部ケース部材２１０と下部ケース部材２２０との間のカソード３０１から突き出す複数のカソードタップ３１０、及びカソードタップ３１０に接続されるカソードリード４１０を部分的に囲む。また、上端部接触領域２３０ａは、カソードタップ３１０とカソードリード４１０との間の結合領域３４０を全体的に囲む。カソードタップ３１０、カソードリード４１０、及びカソードタップ３１０とカソードリード４１０との間の結合領域３４０が、絶縁フィルム４３０によって囲まれる。この構造のために、電極アセンブリ３００の上端部と電池ケース２００との間の距離Ｌ２が、図２と比較して、大幅に減少することを明確に理解することが出来る。
【００４３】
セパレータがカソード３０１とアノード３０２との間にそれぞれ配置されながら、カソード３０１及びアノード３０２が互いに積層された構造に、電極アセンブリ３００が構成される。二次電池の充電と放電の繰り返しの間に、リチウムイオンが、アノード３０２の表面上に堆積されることを防ぐために、アノード３０２は、カソード３０１のそれよりも大きい。状況に応じ、セパレータ３０３の端部が、上端部接触領域２０３ａと隣接する、又は上端部接触領域２０３ａと部分的に重なるほど十分な長さを、セパレータ３０３が有してよい。この場合、外力がかかることにより電極アセンブリ３００が上端部接触領域２０３ａに向って移動する場合における、カソード３０１とアノード３０２との間の接触による短絡の可能性が、さらに減少する。
【００４４】
図７に示すように、カソードタップ３１０とアノードタップ４１０との間の結合領域３４０が、電池の厚さ方向ｙと平行するように、上端部接触領域２０３ａが、垂直に曲げられ、次に、電極リードのいくつかの突出端部４１１及び熱溶接部２４０が、電池の長さ方向ｘと平行するように、再び垂直に曲げられる。この曲げ構造に従い、電極リードの突出端部４１１が、電池の長さ方向ｘと平行するように曲げられる。結果として、電池の長さ方向ｘにおいて、保護回路モジュール５００を、電極リードに接続することが可能である。
【００４５】
図８に示すように、カソードタップ３１０とアノードタップ４１０との間の結合領域３４０が、電池の厚さ方向ｙと平行するように、上端部接触領域２０３ａが、垂直に曲げられ、次に、電極リードのいくつかの突出端部４１１及び熱溶接部２４０が、電池の厚さ方向ｙと平行するように、水平に曲げられる。この曲げ構造に従い、電極リードの突出端部４１１が、電池の厚さ方向ｙと平行するように再び曲げられる。結果として、電池の厚さ方向ｙにおいて、保護回路モジュール５００を、電極リードに接続することが可能である。
【００４６】
説明を目的とし、本発明の好ましい実施形態が開示されたが、当業者は、添付の特許請求の範囲において開示されるような本発明の範囲及び精神から逸脱することなく、様々な変更、追加及び置換が可能であることを理解するだろう。
【産業上の利用可能性】
【００４７】
上記から明らかであるように、振動又は落下のような外部衝撃による、本発明に従う二次電池の内部短絡の発生が、効果的に防止される。結果として、本発明に従う二次電池の安全性がさらに改善される。さらに、電池ケースの内部空間が、最大限に利用される。結果として、本発明に従う二次電池が、本発明に従う二次電池と同じ大きさを有する従来の二次電池よりも大きな容量を有する。
【図面の簡単な説明】
【００４８】
【図１】従来のパウチ形二次電池の一般構造を説明する分解斜視図である。
【図２】カソードタップが、集められた状態で互いに結合され、カソードリードに接続されている、図１に示す二次電池の電池ケースの内部上端部を説明する一部分の拡大図である。
【図３】組み立てられた状態における図１の二次電池を説明する正面透視図である。
【図４】本発明の好ましい実施形態に従うパウチ形二次電池を説明する分解斜視図である。
【図５】電池ケースの上端部及び側面部接触領域が密封された状態である図４のパウチ形二次電池の、電極アセンブリが組み込まれた、電池ケースの上端部及び側面部接触領域を説明する正面透視図である。
【図６】電池ケースの上端部及び側面部接触領域が密封された状態である本発明の他の好ましい実施形態に従うパウチ形二次電池の、電極アセンブリが組み込まれた、電池ケースの上端部及び側面部接触領域を説明する正面透視図である。
【図７】電極タップと電極リードとの間の結合領域が、好ましい構造に従って位置された、図５に示すパウチ形二次電池の電池ケースの上端部接触領域を説明する一部分の拡大図である。
【図８】他の好ましい構造に従う図５に示すパウチ形二次電池の電池ケースの上端部接触領域を説明する一部分の拡大図である。
【符号の説明】
【００４９】
１０    従来のパウチ形二次電池
２０    電池ケース
３０    電極アセンブリ
４０、５０    電極タップ
４１    カソードコレクター
４２    カソードタップ
６０、７０    電極リード
６１    端部
８０    絶縁フィルム
１００、１０１    二次電池
２００    電池ケース
２１０    上部ケース部材
２２０    下部ケース部材
２３０    接触領域
２４０    熱溶接部
３００    電極アセンブリ
３０１    カソード
３０２    アノード
３０３    セパレータ
３１０、３２０    電極タップ
３４０、３４１    結合領域
４１０、４２０    電極リード
４１１、４２１    端部
４３０    絶縁フィルム
５００    保護回路モジュール
ａ    結合領域３４０の外部領域
ｂ    結合領域３４１の外部領域
ｃ    結合領域３４０と３４１との間の中間領域
Ｌ１    電極アセンブリ３０の上端部と絶縁フィルム８０との間の距離
Ｌ２    電極アセンブリ３０の上端部と電池ケース２００との間の距離
【図１】
2009532843.tif 000003
【図２】
2009532843.tif 000004
【図３】
2009532843.tif 000005
【図４】
2009532843.tif 000006
【図５】
2009532843.tif 000007
【図６】
2009532843.tif 000008
【図７】
2009532843.tif 000009
【図８】
2009532843.tif 000010
【国際調査報告】
2009532843.tif 000011
2009532843.tif 000012